(57)【要約】【課題】媒体を積載する積載台と、該積載台を昇降させる昇降機構部とを備える媒体供給装置において、積載台を媒体供給装置の本体装置内に収納可能とし、かつ該収納状態を保持し、さらに媒体ガイド性を低下させない媒体供給装置を提供する。【解決手段】前記昇降機構部の一部に支点を設けて前記積載台を媒体供給装置の本体装置側へ可動して前記本体装置内に略収納可能とし、かつ該収納状態を保持する手段を備える。【選択図】　図１
2004051349.tif 000002
【特許請求の範囲】
【請求項１】
媒体を積載する積載台と、該積載台を昇降させる昇降機構部とを備える媒体供給装置において、
該昇降機構部の一部に支点を設けて該積載台を媒体供給装置の本体装置側へ可動して該本体装置内に略収納可能とし、かつ該収納状態を保持する手段を備える、
ことを特徴とする媒体供給装置。
【請求項２】
前記媒体供給装置は、
前記積載台に支持され媒体の供給時の進行方向と平行な前記媒体の外辺を規制するとともに前記媒体の供給時の進行方向と垂直な方向に移動可能な第１規制板と、該第１規制板の前記本体装置側の略先端に回転可能に支持され前記媒体の供給時の進行方向と平行な前記媒体の外辺を規制するとともに前記媒体の供給時の進行方向と垂直な方向に該第１規制板と対になって移動可能な第２規制板とを備え、
該第２規制板は前記積載台を前記本体装置内に収納する際には該第１規制板の一部を挟み込んで一体に重ね合わさる構造を有する、
ことを特徴とする請求項１に記載の媒体供給装置。
【請求項３】
前記媒体供給装置は、
前記媒体の供給時の進行方向と平行な前記媒体の外辺に当接する前記第１規制板の当接面と、前記媒体の供給時の進行方向と平行な前記媒体の外辺に当接する前記第２規制板の当接面とを同一面となるように設定する、
ことを特徴とする請求項１又は２に記載の媒体供給装置。
【請求項４】
前記第２規制板は、
前記昇降機構部にバネにより回転可能に付圧されており、前記積載台を前記本体装置から前記媒体の供給を行う所定位置に可動させると、前記積載台に接し、かつ媒体供給方向に平行な前記媒体の外辺をガイド可能とする位置に設定される、
ことを特徴とする請求項１、２、３のいずれか１項に記載の媒体供給装置。
【発明の詳細な説明】
【０００１】
【発明の属する技術分野】
媒体を積載する積載台と、該積載台を昇降させる昇降機構部とを備える媒体供給装置において、積載台を媒体供給装置の本体装置内に収納可能とし、かつ該収納状態を保持し、さらに媒体ガイド性を低下させない媒体供給装置に関する。
【０００２】
【従来の技術】
プリンタ装置、イメージスキャナの本体装置と一体に設けられて、それぞれ印刷する用紙、読取りを行う原稿の媒体を積載し、昇降させる機構部により所定の位置まで移動して、それらの媒体を供給するホッパーとも呼ばれる積載台は、本体装置から突出した形状をしているため、非稼働時であっても多くの設置スペースを必要とするという問題があった。
【０００３】
図７の（イ）に積載台が設けられたプリンタ装置５１の一例を示す。
【０００４】
このプリンタ装置５１は、積載台６０、昇降機構部６１、給紙ローラ５９、分離ローラ５７、分離パッド５８、搬送ローラ５６、印字手段５５、定着手段５４、搬送ローラ５３、排紙台５２からなる。
【０００５】
積載台６０は、印字に使用する用紙を積載し、プリンタ装置５１から突出した形状を持つ。なお、図７の（イ）の矢印方向に積載台６０と給紙ローラ５９との周辺を見ると図７の（ロ）に示すようになる。積載台６０には、搭載された用紙６３の給紙方向に平行な外辺を規制する規制板６２が左右に設けられる。なお、規制板６２は積載される例えばＡ４やＢ５の用紙サイズに対応できるように給紙方向に垂直な方向に移動可能である。
【０００６】
昇降機構部６１は、積載台６０を昇降する。
【０００７】
給紙ローラ５９は、用紙を搬送する。
【０００８】
分離ローラ５７と、分離パッド５８とは対で用いられて、送られてきた用紙を一枚分離して搬送する。
【０００９】
搬送ローラ５６は、二つ対で用いられて用紙を搬送する。
【００１０】
印字手段５５は、用紙上に画像を形成する。
【００１１】
定着手段５４は、用紙上に形成された画像を定着させる。
【００１２】
搬送ローラ５３は、二つ対で用いられて紙を搬送する。
【００１３】
排紙台５２は排出された用紙を収納する。
【００１４】
このプリンタ装置５１に示したように積載台は突出している分、本体装置と一体で梱包する場合に容積も大きくなるという問題があった。
【００１５】
一方、積載台を添付品として分解収納し、設置時に組み立てする場合には煩雑さが発生するという問題があった。
【００１６】
この積載台を本体装置に収納可能とする事で非稼働時の設置スペースを低減し、梱包容積の縮小を行うことが可能となる。ここで、積載台をプリンタ装置内に収納可能とする場合の構成の１例を図８に示す。
【００１７】
このプリンタ装置７１は、積載台８０、昇降機構部８４、給紙ローラ７９、分離ローラ７７、分離パッド７８、搬送ローラ７６、印字手段７５、定着手段７４、搬送ローラ７３、排紙台７２からなる。この内、給紙ローラ７９、分離ローラ７７、分離パッド７８、搬送ローラ７６、印字手段７５、定着手段７４、搬送ローラ７３、排紙台７２は図７の（イ）のそれぞれ給紙ローラ５９、分離ローラ５７、分離パッド５８、搬送ローラ５６、印字手段５５、定着手段５４、搬送ローラ５３、排紙台５２と同じ機能を持つためここでは説明を省略する。
【００１８】
昇降機構部８４は支持材８３を昇降することで、支持材８３の回転支点８２に取り付けられた積載台８０を昇降する。
【００１９】
積載台８０は、印字に使用する用紙を積載し、プリンタ装置７１の非稼働時に回転支点８２を支点にプリンタ装置７１側に倒すことでプリンタ装置７１内に収納可能となる。なお、図８の（イ）の矢印方向に積載台８０と給紙ローラ７９との周辺を見ると図８の（ロ）に示すようになる。積載台８０には、積載された用紙６３の給紙方向に平行な外辺を規制する規制板８１が左右に設けられる。なお、規制板８１は積載される例えばＡ４やＢ５サイズの用紙に対応できるように給紙方向に垂直な方向に移動可能である。
【００２０】
しかしながら、回転させるための支点を設けて積載台８０をプリンタ装置７１内に収納可能とした場合には、図７の（ロ）の規制板６２と異なり、用紙６３の給紙方向に平行な用紙６３の外辺を給紙ローラ７９付近まで規制することができなくなる。そのために規制板８１の媒体ガイド性が低下し、図９に示すように給紙の際に用紙６３が斜行する媒体スキュー等が発生しやすくなるという問題があった。
【００２１】
【発明が解決しようとする課題】
そのため、本発明はかかる事情に鑑みてなされたものであり、課題は以下のとおりである。
【００２２】
媒体を積載する積載台と、該積載台を昇降させる昇降機構部とを備える媒体供給装置において、積載台を媒体供給装置の本体装置内に収納可能とし、かつ該収納状態を保持し、さらに媒体ガイド性を低下させない媒体供給装置を提供可能とする。
【００２３】
【課題を解決するための手段】
前記の課題を解決するために、この発明は、以下の手段を採った。
【００２４】
前記昇降機構部の一部に支点を設けて前記積載台を媒体供給装置の本体装置側へ可動して前記本体装置内に略収納可能とし、かつ該収納状態を保持する手段を備える。
【００２５】
このように構成される媒体供給装置によれば、積載台を前記昇降機構部の一部に設けた支点により媒体供給装置の本体装置側へ可動させることで本体装置内に略収納可能とし、その収納状態を保持可能とする。
【００２６】
これにより、積載台を媒体供給装置の本体装置内に収納可能とし、非稼働時の設置スペース縮小を可能とし、梱包時には積載台を突出させている分、梱包容積を減らすことができる。
【００２７】
また、前記積載台に支持され媒体の供給時の進行方向と平行な前記媒体の外辺を規制するとともに前記媒体の供給時の進行方向と垂直な方向に移動可能な第１規制板と、該第１規制板の前記本体装置側の略先端に回転可能に支持され前記媒体の供給時の進行方向と平行な前記媒体の外辺を規制するとともに前記媒体の供給時の進行方向と垂直な方向に該第１規制板と対になって移動可能な第２規制板とを備え、該第２規制板は前記積載台を前記本体装置内に収納する際には該第１規制板の一部を挟み込んで一体に重ね合わさる構造を有する。
【００２８】
このように構成される媒体供給装置によれば、前記媒体の供給時の進行方向と平行な前記媒体の外辺を給紙ローラ付近まで規制することができるようにする第２規制板を、前記積載台を前記本体装置内に収納する際には第１規制板の一部を挟み込んで、該第１規制板と一体に重ね合わさる構造を有して設けることで、前記積載台を前記本体装置内に収納する際に第２規制板が妨げとなることはない。
【００２９】
これにより、積載台を媒体供給装置の本体装置内に収納可能とした場合に媒体ガイド性の低下を防止できる。
【００３０】
また、前記媒体の供給時の進行方向と平行な前記媒体の外辺に当接する前記第１規制板の当接面と、前記媒体の供給時の進行方向と平行な前記媒体の外辺に当接する前記第２規制板の当接面とを同一面となるように設定する。
【００３１】
このように構成される媒体供給装置によれば、前記第１規制板の当接面と、前記第２規制板の当接面とを同一面となるように設定することで、第１規制板を給紙ローラ付近まで延ばした場合と同じ精度で媒体の給紙方向を規制できる。
【００３２】
これにより、媒体を本体装置に供給する際の媒体スキューを防止できる。
【００３３】
また、前記第２規制板は前記昇降機構部にバネにより回転可能に付圧されており、前記積載台を前記本体装置から前記媒体の供給を行う所定位置に可動させると、前記積載台に接し、かつ媒体供給方向に平行な前記媒体の外辺をガイド可能とする位置に設定される。
【００３４】
このように構成される媒体供給装置によれば、積載台を本体装置から媒体供給を行う所定位置に可動させると、第２規制板はバネによる付圧により第１規制板と接続される支点部分を除いて第１規制板と離れ、前記積載台に接し、媒体供給方向に平行な前記媒体の外辺をガイド可能とする位置に設定される。
【００３５】
これにより、積載台を前記本体装置から前記媒体の供給を行う所定位置に可動させた場合に、第２規制板をいちいち操作せずとも媒体供給方向に平行な前記媒体の外辺をガイド可能とする位置に位置付けることができ、手操作の手間を省ける。
【００３６】
【発明の実施の形態】
本発明は、次に示す実施の形態を取った。
【００３７】
図１は本発明の媒体供給装置７で積載台３が本体装置に収納、保持された状態を例示する断面図である。
【００３８】
側板１は本体装置の側板である。
【００３９】
ストッパ２は積載台３を本体装置に収納した状態に保持させる。
【００４０】
積載台３は供給する媒体が積載される。
【００４１】
昇降機構部６は支持材５を昇降することで、支持材５の回転支点４に取り付けられた積載台３を昇降する。
【００４２】
また、図２は本発明の媒体供給装置７で第２規制板９が昇降機構部６にバネにより付圧されている状態を例示する断面図である。
【００４３】
第１規制板８は積載台３に支持され媒体の供給時の進行方向と平行な前記媒体の外辺を規制するとともに媒体の供給時の進行方向と垂直な方向に移動可能である。
【００４４】
第２規制板９は第１規制板８の本体装置側の略先端に回転支点１０を支点にして回転可能に支持され媒体の供給時の進行方向と平行な前記媒体の外辺を規制するとともに媒体の供給時の進行方向と垂直な方向に第１規制板８と対になって移動可能である。なお、第２規制板９は積載台３を本体装置内に収納する際には第１規制板８の一部を挟み込んで一体に重ね合わさる構造を有する。
【００４５】
さらに、図３は本発明の媒体供給装置７で積載台３が本体装置から媒体の供給を行う所定位置に可動し、第２の規制板９が前記積載台３に接し、媒体供給方向に平行な前記媒体の外辺をガイド可能とする位置に設定されている様子を例示する断面図である。
【００４６】
図１、図２、図３に示すように、媒体を積載する積載台と、該積載台を昇降させる昇降機構部とを備える媒体供給装置において、
昇降機構部６の一部に支点を設けて積載台３を媒体供給装置７の本体装置側へ可動して該本体装置内に略収納可能とし、かつ該収納状態を保持する手段を備える。
【００４７】
上記の形態をとることにより、積載台３を媒体供給装置７の本体装置内に収納可能とし、非稼働時の設置スペース縮小を可能とし、梱包時には積載台を突出させている分、梱包容積を減らすことができ、かつ該収納状態を保持できる。
【００４８】
また、前記媒体供給装置７は、積載台３に支持され媒体の供給時の進行方向と平行な前記媒体の外辺を規制するとともに前記媒体の供給時の進行方向と垂直な方向に移動可能な第１規制板８と、第１規制板８の前記本体装置側の略先端に回転可能に支持され前記媒体の供給時の進行方向と平行な前記媒体の外辺を規制するとともに前記媒体の供給時の進行方向と垂直な方向に第１規制板８と対になって移動可能な第２規制板９とを備え、
第２規制板９は積載台３を前記本体装置内に収納する際には第１規制板８の一部を挟み込んで一体に重ね合わさる構造を有する。
【００４９】
上記の形態をとることにより、積載台３を媒体供給装置７の本体装置内に収納する場合に、前記媒体の供給時の進行方向と平行な前記媒体の外辺を給紙ローラ付近まで規制することができるようにする第２規制板が妨げとなることはなく、積載台を媒体供給装置の本体装置内に収納可能とした場合に媒体ガイド性の低下を防止できる。
【００５０】
また、前記媒体供給装置７は、前記媒体の供給時の進行方向と平行な前記媒体の外辺に当接する第１規制板８の当接面と、前記媒体の供給時の進行方向と平行な前記媒体の外辺に当接する前記第２規制板９の当接面とを同一面となるように設定する。
【００５１】
上記の形態をとることにより、第１規制板８を給紙ローラ付近まで延ばした場合と同じ精度で媒体の給紙方向を規制できて、媒体を本体装置に供給する際の媒体スキューを防止できる。
【００５２】
また、前記第２規制板９は昇降機構部６にバネにより回転可能に付圧されており、積載台３を前記本体装置から前記媒体の供給を行う所定位置に可動させると、積載台３に接し、かつ媒体供給方向に平行な前記媒体の外辺をガイド可能とする位置に設定される。
【００５３】
上記の形態をとることにより、積載台３を前記本体装置から前記媒体の供給を行う所定位置に可動させた場合に、第２規制板９をいちいち操作せずとも媒体供給方向に平行な前記媒体の外辺をガイド可能とする位置に位置付けることができ、手操作の手間を省ける。
【００５４】
【実施例】
この発明による代表的な実施例を以下に説明する。なお、以下において、同じ箇所は同一の符号を付しており、詳細な説明を省略することがある。
【００５５】
図６の（イ）は本発明の媒体供給装置にて本体装置２１から積載台３が媒体供給を行える所定位置に可動されている状態を示す図である。
【００５６】
給紙ローラ２４は用紙の給紙を行う。
【００５７】
取っ手２２は積載台３を本体装置２１内に収納する時、又は本体装置２１から引き出す時に積載台３を手で掴むのに使用される。
【００５８】
また、図６の（ロ）は積載台３が本体装置２１に収納されている状態を示す図である。さらに、図１は図６の（ロ）の（１）で示す矢印方向を見た断面図である。
【００５９】
側板１は本体装置２１の側板である。
【００６０】
ストッパ２は積載台３を本体装置２１に収納した状態を保持させる。
【００６１】
積載台３は本体装置２１に給紙する用紙が積載される。
【００６２】
昇降機構部６は支持材５を昇降することで、支持材５の回転支点４に取り付けられた積載台３を昇降する。
【００６３】
図１と図６とを基に積載台３を本体装置２１に収納可能とし、かつ該収納状態を保持できるようにする動作を説明すると、図６の（イ）の状態にて、取っ手２２を掴み、本体装置２１側に押し上げると、図１の回転支点４を支点に回転して図６の（ロ）に示すように積載台３を本体装置２１に収納できる。なお、図６の（ロ）に示す位置まで積載台３を可動させると、上側の側板１に取り付けられたストッパ２が積載台３に設けられた対応する穴２３にはまり込み、積載台３は本体装置２１に収納された状態で保持される。
【００６４】
なお、前記実施例では、積載台の本体装置への収納を手操作で行い、該収納状態の保持をストッパという簡単な機構で行うようにしたが、媒体供給装置に積載台の本体装置への収納、該収納状態の保持、更に積載台を本体装置から媒体供給が行える所定位置への可動の各動作を行う移動機構を備えて、これらの操作をボタン操作で行えるようにしてもよい。
【００６５】
また、図２は本発明の媒体供給装置で第２規制板９が昇降機構部６にバネにより付圧されている状態を例示する図６の（ロ）の（２）で示す矢印方向を見た断面図である。また、図４の（イ）は図２にて第２規制板９周辺を拡大した図である。さらに、図５の（イ）は図２の積載台３周辺を矢印方向に見た図である。また、図５の（ロ）は図３に示す積載台３を本体装置２１から媒体供給を行う所定位置に可動させた図で積載台３周辺を矢印方向に見た図である。
【００６６】
第１規制板８は積載台３に支持され用紙１３の供給時の進行方向と平行な用紙１３の外辺を規制するとともに用紙１３の供給時の進行方向と垂直な方向に移動可能である。
【００６７】
第２規制板９は第１規制板８の本体装置２１側の略先端に回転支点１０を支点にして回転可能に支持され用紙１３の供給時の進行方向と平行な用紙１３の外辺を規制するとともに用紙１３の供給時の進行方向と垂直な方向に第１規制板８と対になって移動可能である。
【００６８】
図５の（ロ）に示すように第２規制板９は第１規制板８の一部を挟み込んだ構造を持ち、図２に示すように積載台３を本体装置２１内に収納する場合に図４の（イ）や図５の（イ）に示すように第１規制板８と一体に重ね合わさる構造を有する。これにより、積載台３を本体装置２１内に収納する場合に、用紙１３の供給時の進行方向と平行な用紙１３の外辺を給紙ローラ２４付近まで規制することができるようにする第２規制板９が妨げとなることはなく、積載台を媒体供給装置の本体装置内に収納可能とした場合に媒体ガイド性の低下を防止できる。
【００６９】
また、図３は本発明の媒体供給装置７で積載台３が本体装置２１から用紙１３の供給を行う所定位置に可動した状態を例示する図６の（イ）の矢印方向を見た断面図である。また、図４の（ロ）は図３に示す第２規制板９周辺を拡大した図である。さらに、図５の（ロ）は図３の矢印方向に積載台３を見た図である。
【００７０】
図３に示すように積載台３が本体装置２１から用紙１３の供給を行う所定位置に可動した場合に、図４の（ロ）に示すように、用紙１３の供給時の進行方向と平行な用紙１３の外辺に当接する第１規制板８の当接面と、用紙１３の供給時の進行方向と平行な用紙１３の外辺に当接する第２規制板９の当接面とを同一面となるように設定する。これにより、第１規制板８を給紙ローラ２４付近まで延ばした場合と同じ精度で用紙１３の給紙方向を規制できて、用紙１３を本体装置２１に供給する際の媒体スキューを防止できる。
【００７１】
また、図４の（イ）に示すバネ１２はコイルバネであり、回転支点１０上に取り付けられて一方の端子が第１規制板８を、もう一方の端子が第２規制板を押し付けるように取り付けられている。
【００７２】
図３に示すように積載台３が本体装置２１から引き出されて用紙１３の供給を行う所定位置に可動した場合に、第２規制板９は図４の（ロ）に示すように、バネ１２に押し付けられているのでガイド面１１に接した状態が維持される。これにより、積載台３を本体装置２１から用紙１３の供給を行う所定位置に可動させた場合に、第２規制板９をいちいち操作せずとも用紙１３の供給方向に平行な用紙１３の外辺をガイド可能とする位置に位置付けることができ、手操作の手間を省ける。
【００７３】
本発明は、媒体を積載する積載台と、該積載台を昇降させる昇降機構部とを備える媒体供給装置において、積載台を媒体供給装置の本体装置内に収納可能とし、かつ該収納状態を保持し、さらに媒体ガイド性を低下させない媒体供給装置に適用できる。
【００７４】
【発明の効果】
この発明により、以下に示すような効果が期待できる。
【００７５】
媒体を積載する積載台と、該積載台を昇降させる昇降機構部とを備える媒体供給装置において、該昇降機構部の一部に支点を設けて該積載台を媒体供給装置の本体装置側へ可動して該本体装置内に略収納可能とし、かつ該収納状態を保持する手段を備える。これにより、積載台を媒体供給装置の本体装置内に収納可能とし、非稼働時の設置スペース縮小を可能とし、梱包時には積載台を突出させている分、梱包容積を減らすことができ、かつ該収納状態を保持できる。
【００７６】
また、前記媒体供給装置は、前記積載台に支持され媒体の供給時の進行方向と平行な前記媒体の外辺を規制するとともに前記媒体の供給時の進行方向と垂直な方向に移動可能な第１規制板と、該第１規制板の前記本体装置側の略先端に回転可能に支持され前記媒体の供給時の進行方向と平行な前記媒体の外辺を規制するとともに前記媒体の供給時の進行方向と垂直な方向に該第１規制板と対になって移動可能な第２規制板とを備え、該第２規制板は前記積載台を前記本体装置内に収納する際には該第１規制板の一部を挟み込んで一体に重ね合わさる構造を有する。これにより、積載台を媒体供給装置の本体装置内に収納する場合に、前記媒体の供給時の進行方向と平行な前記媒体の外辺を給紙ローラ付近まで規制することができるようにする第２規制板が妨げとなることはなく、積載台を媒体供給装置の本体装置内に収納可能とした場合に媒体ガイド性の低下を防止できる。
【００７７】
また、前記媒体供給装置は、前記媒体の供給時の進行方向と平行な前記媒体の外辺に当接する前記第１規制板の当接面と、前記媒体の供給時の進行方向と平行な前記媒体の外辺に当接する前記第２規制板の当接面とを同一面となるように設定する。これにより、前記第１規制板を給紙ローラ付近まで延ばした場合と同じ精度で媒体の給紙方向を規制できて、媒体を本体装置に供給する際の媒体スキューを防止できる。
【００７８】
また、前記第２規制板は前記昇降機構部にバネにより回転可能に付圧されており、前記積載台を前記本体装置から前記媒体の供給を行う所定位置に可動させると、前記積載台に接し、かつ前記媒体供給方向に平行な前記媒体の外辺をガイド可能とする位置に設定される。これにより、積載台を前記本体装置から前記媒体の供給を行う所定位置に可動させた場合に、第２規制板をいちいち操作せずとも前記媒体供給方向に平行な前記媒体の外辺をガイド可能とする位置に位置付けることができ、手操作の手間を省ける。
【図面の簡単な説明】
【図１】本発明の媒体供給装置を説明する図である。
【図２】本発明の媒体供給装置を説明する図である。
【図３】本発明の媒体供給装置を説明する図である。
【図４】本発明の一実施例の説明図である。
【図５】本発明の一実施例の説明図である。
【図６】本発明の一実施例の説明図である。
【図７】従来技術の一例の媒体供給装置を含むプリンタ装置である。
【図８】従来技術の一例の媒体供給装置を含むプリンタ装置である。
【図９】従来技術の一例の媒体スキューの様子を示す図である。
【符号の説明】
１：側板
２：ストッパ
３：積載台
４：回転支点
５：支持材
６：昇降機構部
７：媒体供給装置
８：第１規制板
９：第２規制板
１０：回転支点
１１：ガイド面
【図１】
2004051349.tif 000003
【図２】
2004051349.tif 000004
【図３】
2004051349.tif 000005
【図４】
2004051349.tif 000006
【図５】
2004051349.tif 000007
【図６】
2004051349.tif 000008
【図７】
2004051349.tif 000009
【図８】
2004051349.tif 000010
【図９】
2004051349.tif 000011